【手続補正書】
【提出日】平成19年2月14日(2007.2.14)
【手続補正１】
【補正対象書類名】明細書
【補正対象項目名】特許請求の範囲
【補正方法】変更
【補正の内容】
【特許請求の範囲】
【請求項１】  データ記憶システムのためのデータカートリッジ交換装置であって、
データカートリッジを受け入れられる大きさである引き出しと、
前記引き出しに取り付けられた第１の形状を有する第１のガイドレールと、
前記第１の形状を有する前記第１のガイドレールと係合する大きさである、第２の形状を有するガイドレールと、
前記データ記憶システムに取り付けられた前記第１の形状を有する第２のガイドレールと、を備え、前記第２のガイドレールは、前記引き出しを引っ込み位置と飛び出し位置との間で移動させることができるように、前記第２の形状を有するガイドレールと係合する大きさであり、
前記引き出しに収容される大きさであり、前記データカートリッジを受け入れられる大きさであるカートリッジマガジンと、
前記データ記憶システムに取り付けられており、前記引き出しが引っ込み位置にあるときに、前記カートリッジマガジンと係合し前記カートリッジマガジンを登録位置に保持するカートリッジマガジン整列装置と、
を備えている、データカートリッジ交換装置。
【請求項２】  前記カートリッジマガジン整列装置が、前記データ記憶システムに互いに離隔した関係に取り付けられた第１の長手リファレンスレールおよび第２の長手リファレンスレールを備えており、前記カートリッジマガジンが、前記第１の長手リファレンスレールを受け入れられる大きさである第１の長手スロットと、前記第２の長手リファレンスレールを受け入れられる大きさである第２の長手スロットとを含んでいる、請求項１に記載のデータカートリッジ交換装置。
【請求項３】  前記引き出しが、前記カートリッジマガジンを受け入れられる大きさであるマガジントレイを含んでいる、請求項２に記載のデータカートリッジ交換装置。
【請求項４】  前記引き出しが引っ込み位置にあるときに前記引き出しと着脱自在に係合する、前記データ記憶システムに取り付けられた引き出しロックアセンブリをさらに備えている、請求項３に記載のデータカートリッジ交換装置。
【請求項５】  前記引き出しロックアセンブリが、前記データカートリッジ交換装置に取り付けられたロックアクチュエータと、前記ロックアクチュエータと有効に関連付けられたロックボルトであって、前記ロックアクチュエータは前記ロックボルトをロック位置と非ロック位置との間で移動させるロックボルトと、前記ロックボルトを受け入れられる大きさである孔を有する、前記引き出しに取り付けられたロックプレートとを備えている、請求項４に記載のデータカートリッジ交換装置。
【請求項６】  前記マガジントレイは２つのカートリッジマガジンを受け入れられる大きさである、請求項５に記載のデータカートリッジ交換装置。
【請求項７】  前記カートリッジマガジンは５つのデータカートリッジを受け入れられる大きさである、請求項６に記載のデータカートリッジ交換装置。
【請求項８】  前記第１の形状をそれぞれ有する前記第１および第２のガイドレールが、背面部と、前記背面部から突出した第１のフランジ部材と、前記背面部から突出しており、前記第１のフランジ部材から離隔し且つこれと平行な関係に配置された第２のフランジと、前記第１のフランジ部材から突出した第１の支持トラックと、前記第２のフランジ部材から突出した第２の支持トラックとを備えている、請求項１に記載のデータカートリッジ交換装置。
【請求項９】  前記第２の形状を有する前記レールが、第１および第２の端部を有する第１のフランジ部材と、第１の支持トラックおよび第２の支持トラックを有しており、前記第１のフランジ部材の前記第１の端部から突出した第１の支持ガイド部材と、第１の支持トラックおよび第２の支持トラックを有しており、前記第１のフランジ部材の前記第２の端部から突出した第２の支持ガイド部材とを備えている、請求項８に記載のデータカートリッジ交換装置。
【請求項１０】  前記第１の形状を有している前記第１および第２のガイドレールの各々の端部に配置された第１および第２の支持部材をさらに備えており、前記第１および第２の支持部材は、前記第２の形状を有する前記ガイドレールの前記第１および第２の支持トラックと係合する大きさである、請求項９に記載のデータカートリッジ交換装置。
【請求項１１】  前記第２の形状を有する前記ガイドレールの第１の端部に配置された第１および第２の支持部材と、前記第２の形状を有する前記ガイドレールの第１および第２の端部の間に配置された第３および第４の支持部材とをさらに備えており、前記第１、第２、第３および第４の支持部材は、前記第１の形状を有している前記第１および第２のガイドレールの前記第１および第２の支持トラックと係合する大きさである、請求項１０に記載のデータカートリッジ交換装置。
【請求項１２】  第１のチャネルは、前記第１の支持トラック、前記第１のフランジ部材、および前記第１の形状を有する前記第１および第２のガイドレールの各々のベースの間に画定され、第２のチャネルは、前記第２の支持トラック、前記第２のフランジ部材、および前記第１の形状を有する前記第１および第２のガイドレールの各々のベースの間に画定される、請求項１１に記載のデータカートリッジ交換装置。
【請求項１３】  前記第２の形状を有する前記ガイドレールは、前記第１および第２の支持ガイド部材の間に突出した第２のフランジ部材を含み、第１のチャネルは、前記第１および第２の支持ガイド部材および前記第１のフランジの間に画定され、第２のチャネルは前記第１および第２の支持ガイド部材および前記第２のフランジの間に画定される、請求項１２に記載のデータカートリッジ交換装置。
【請求項１４】  前記第１の形状を有する前記第１および第２のガイドレールの各々の前記第１の支持は、前記第１のチャネル内に配置され、前記第１の形状を有する前記第１および第２のガイドレールの各々の前記第２の支持は、前記第２のチャネルに配置される、請求項１３に記載のデータカートリッジ交換装置。
【請求項１５】  前記第２の形状を有する前記ガイドレールの前記第１および第３の支持を、前記第１のチャネル内に配置され、前記第２の形状を有する前記ガイドレールは前記第２の形状を有する前記ガイドレールの前記第２および第４の支持は、前記第２のチャネル内に配置される、請求項１３に記載のデータカートリッジ交換装置。
【請求項１６】  データ記憶システムのためのデータカートリッジ交換装置であって、
データカートリッジを受け入れられる大きさである引き出しと、
前記引き出しに取り付けられた第１の形状を有する第１のガイドレール手段と、
前記第１の形状を有する前記第１のガイドレール手段と係合するための、第２の形状を有するガイドレール手段と、
前記引き出しを引っ込み位置と飛び出し位置との間で移動させることができるように、前記第２の形状を有する前記ガイドレール手段と係合するための、前記データ記憶システムに取り付けられた前記第１の形状を有する第２のガイドレール手段と、
前記引き出しに可動に収容される大きさである、前記データカートリッジを受け入れられるためのカートリッジマガジン手段と、
前記引き出しが引っ込み位置にあるときに、前記カートリッジマガジン手段と係合し、前記カートリッジマガジンを登録位置に保持するための、前記データ記憶システムに取り付けられているカートリッジマガジン整列装置手段と、
を備えている、データカートリッジ交換装置。
【請求項１７】  前記引っ込み位置にある前記引き出しをロックするために前記引き出しと有効に関連付けられた引き出しロック手段を含む、請求項１６に記載のデータカートリッジ交換装置。